(57)【要約】【課題】場の雰囲気に沿った演奏曲を推薦する選曲支援装置を提供する。【解決手段】演奏曲の性質を示す複数種類の属性情報を前記選曲番号毎に記憶する属性情報データベース５２と、所定時間内に選曲された複数の演奏曲それぞれの属性情報のうち互いに共通する共通属性情報を判定する共通属性情報判定手段５４（ＳＢ１、ＳＢ２、ＳＢ３）と、その共通属性情報判定手段５４により判定された共通属性情報に基づいて推薦曲を決定して表示する推薦曲決定表示手段５６（ＳＢ４、ＳＢ５）とを含むことから、上記所定時間内の選曲傾向を客観的に捉えることが可能とされ、場の雰囲気に沿った演奏曲を推薦する選曲支援装置を提供することができる。【選択図】　図１６
2004117587.tif 000002
【特許請求の範囲】
【請求項１】
入力された選曲情報に従って演奏曲を出力する形式の音楽再生装置に備えられて利用者に演奏曲を推薦する選曲支援装置であって、
該演奏曲の性質を示す複数種類の属性情報を前記選曲情報毎に記憶する属性情報記憶手段と、
所定時間内に選択された複数の選曲情報それぞれの属性情報のうちに互いに共通する共通属性情報を判定する共通属性情報判定手段と、
該共通属性情報判定手段により判定された共通属性情報に基づいて推薦曲を決定して表示する推薦曲決定表示手段と
を、含むことを特徴とする選曲支援装置。
【請求項２】
前記共通属性情報判定手段は、
前記所定時間内に選択された複数の選曲情報それぞれの属性情報を前記属性情報記憶手段から抽出する属性情報抽出手段と、
該属性情報抽出手段により抽出された該属性情報それぞれについて、前記所定時間内に選択された複数の選曲情報に共通する割合である適合率を算出する属性情報適合率算出手段と、
該属性情報適合率算出手段により算出された適合率に応じて前記共通属性情報の順位を決定する属性情報順位決定手段と
を、含むものである請求項１の選曲支援装置。
【請求項３】
前記推薦曲決定表示手段は、
前記属性情報順位決定手段により決定された共通属性情報のうちの順位が所定位以上である高順位属性情報を有する演奏曲を抽出する演奏曲抽出手段と、
該演奏曲抽出手段により抽出された演奏曲の順位を該高順位属性情報との対応に基づいて決定する演奏曲順位決定手段と
を、含み、
該演奏曲順位決定手段により決定された順位が所定位以上である高順位演奏曲を推薦曲として決定して表示するものである請求項２の選曲支援装置。
【発明の詳細な説明】
【０００１】
【発明の属する技術分野】
本発明は、カラオケボックスなどで使用される音楽再生装置に関し、特に利用者の選曲を支援する技術に関する。
【０００２】
【従来の技術】
予め定められた複数の演奏曲から選択される所望の演奏曲の映像情報および音楽情報を出力させると共に、外部から入力される音声情報をその入力に同期して出力できる音楽再生装置が知られている。例えば、カラオケボックスで使用されるカラオケ装置がそれである。かかるカラオケ装置によれば、予め記憶装置に記憶された複数のカラオケ演奏曲から選択された所望のカラオケ演奏曲の音楽情報を出力させると共に、そのカラオケ演奏曲の歌詞をその出力に同期して画面に表示させることができ、所望の歌をカラオケ演奏曲の伴奏を伴った状態で楽しむことができる。
【０００３】
ところで、上記カラオケ装置の利用に際して、利用者は基本的に個人の趣味嗜好に基づいて任意のカラオケ演奏曲を選曲するわけであるが、適当な曲を見出すことができずに演奏が滞ることが往々にしてある。そこで、利用者の選曲を支援するためにカラオケ演奏曲を推薦する機能を備えたカラオケ装置が提案されている（例えば、特許文献１を参照）。かかるカラオケ装置には、顧客ＩＤで識別される利用者の氏名、性別、住所、電話番号、生年月日、趣味、職業、勤務先、家族構成などの個人情報が登録されると共に、その利用者が過去に選曲したカラオケ演奏曲の履歴が記憶されるように構成されており、その選曲順序傾向、利用者の個人情報、選曲ジャンル傾向などに基づいて、利用者が過去に選曲したカラオケ演奏曲の中から傾向に沿った曲を推薦するものである。
【０００４】
【特許文献１】
特開平１１−５２９６５号公報
【０００５】
【発明が解決しようとする課題】
しかし、かかる従来の選曲支援機能では、所謂場の雰囲気（複数の利用者に共通した心理状態）を壊す可能性があった。すなわち、推薦されるカラオケ演奏曲が、顧客ＩＤで識別される個人情報に沿ったものである場合、例えばカラオケボックス内における場の雰囲気を斟酌した選曲支援を行うことができず、その顧客ＩＤで識別される利用者も含めて場に居合わせる複数の利用者にとって印象の悪いカラオケ演奏曲が推薦されることが考えられる。また、選曲順序傾向あるいは選曲ジャンル傾向などに基づいて選曲支援を行う場合であっても、客観性の乏しさから場の雰囲気に沿ったカラオケ演奏曲を推薦することは困難であった。
【０００６】
本発明は、以上の事情を背景として為されたものであり、その目的とするところは、場の雰囲気に沿った演奏曲を推薦する選曲支援装置を提供することにある。
【０００７】
【課題を解決するための手段】
かかる目的を達成するために、本発明の要旨とするところは、入力された選曲情報に従って演奏曲を出力する形式の音楽再生装置に備えられて利用者に演奏曲を推薦する選曲支援装置であって、その演奏曲の性質を示す複数種類の属性情報を前記選曲情報毎に記憶する属性情報記憶手段と、所定時間内に選択された複数の選曲情報それぞれの属性情報のうちの互いに共通する共通属性情報を判定する共通属性情報判定手段と、その共通属性情報判定手段により判定された共通属性情報に基づいて推薦曲を決定して表示する推薦曲決定表示手段とを含むことを特徴とするものである。
【０００８】
【発明の効果】
このようにすれば、前記演奏曲の性質を示す複数種類の属性情報を前記選曲情報毎に記憶する属性情報記憶手段と、所定時間内に選択された複数の選曲情報それぞれの属性情報のうち互いに共通する共通属性情報を判定する共通属性情報判定手段と、その共通属性情報判定手段により判定された共通属性情報に基づいて推薦曲を決定して表示する推薦曲決定表示手段とを含むことから、前記所定時間内の選曲傾向を客観的に捉えることが可能とされ、場の雰囲気に沿った演奏曲を推薦する選曲支援装置を提供することができる。
【０００９】
【発明の他の態様】
ここで、好適には、前記共通属性情報判定手段は、前記所定時間内に選択された複数の選曲情報それぞれの属性情報を前記属性情報記憶手段から抽出する属性情報抽出手段と、その属性情報抽出手段により抽出されたその属性情報それぞれについて、前記所定時間内に選択された複数の選曲情報に共通する割合である適合率を算出する属性情報適合率算出手段と、その属性情報適合率算出手段により算出された適合率に応じて前記共通属性情報の順位を決定する属性情報順位決定手段とを含むものである。このようにすれば、実用に適した態様で、前記所定時間内の選曲傾向をより客観的に捉えることができるという利点がある。
【００１０】
また、好適には、前記推薦曲決定表示手段は、前記属性情報順位決定手段により決定された共通属性情報のうちの順位が所定位以上である高順位属性情報を有する演奏曲を抽出する演奏曲抽出手段と、その演奏曲抽出手段により抽出された演奏曲の順位をその高順位属性情報との対応に基づいて決定する演奏曲順位決定手段とを含み、その演奏曲順位決定手段により決定された順位が所定位以上である高順位演奏曲を推薦曲として決定して表示するものである。このようにすれば、実用に適した態様で、前記所定時間内の選曲傾向をより客観的に捉えることができるという利点がある。
【００１１】
【実施例】
以下、本発明の好適な実施例を図面に基づいて詳細に説明する。
【００１２】
図１は、本発明の一実施例であるカラオケ装置１０の構成を説明するブロック線図である。この図に示すように、かかるカラオケ装置１０は、本体装置１２、ディスクプレーヤ３０、アンプミキサ３２、スピーカ３４、マイク３６、画像表示器（ＣＲＴ）３８などを備えている。また、上記本体装置１２は、電子制御装置１４、操作パネル１６、リセット釦１７、シリアル入出力回路（ＳＩＯ）１８、モデム２０、ハードディスク２２、ＭＩＤＩ音源２４、ビデオミキサ２６などを備えている。
【００１３】
上記電子制御装置１４は、図示しないＣＰＵ、ＲＯＭ、ＲＡＭなどを備えた所謂マイクロコンピュータであり、利用者（ユーザ）が選曲情報であるところの選曲番号を入力することにより演奏曲が選曲された場合、その演奏曲のジャンルを上記ディスクプレーヤ３０に送信したり、上記ハードディスク２２から図示しないＲＡＭに選曲された演奏データおよび歌詞データを読み出したり、演奏曲の演奏が進行するのに応じてそのＲＡＭから上記ＭＩＤＩ音源２４へ演奏データを送信したり、上記ビデオミキサ２６へ歌詞文字映像を送ったり、選曲時には、曲名データに基づいて曲名映像をそのビデオミキサ２６へ送ったりするなどの基本的な制御を行う。
【００１４】
入力装置として機能する前記操作パネル１６は、利用者が歌いたい曲の選曲情報であるところの選曲番号を選曲本（演奏曲と選曲番号との対応関係が示された本）などから選択して入力することにより演奏曲を選択したり、演奏音の音程を調整したり、演奏と歌との音量バランスを調整したり、その他、エコー、音量、トーンなど各種調整を行うための操作ボタンあるいはツマミを備えたパネルである。また、前記カラオケ装置１０には、前記操作パネル１６の一部機能を遠隔で実行するために、かかる操作パネル１６と同様に入力装置として機能するリモコン２８が備えられている。前記操作パネル１６や、リモコン２８から入力された選曲番号は、前記電子制御装置１４のＲＡＭに順次記憶される。従って、その電子制御装置１４のＲＡＭは、選曲情報記憶手段を構成する。また、そのＲＡＭに記憶された選曲番号は、前記リセット釦１７が操作されることにより消去されて初期化される。
【００１５】
前記シリアル入出力回路（ＳＩＯ）１８は、シリアル通信回線などを介して選択された曲のジャンルを前記ディスクプレーヤ３０に送信するためのインターフェース回路である。また、前記モデム２０は、電話回線を介して送られてくる曲データなどを受信したり、どのような曲が演奏されているかといった情報を外部へ送信したりする際、通信路を通して伝送される信号の変調および復調を行う変復調装置である。前記カラオケ装置１０では、常に新しい曲を演奏可能にするために、随時、電話回線にて新曲の曲データなどが、図示しないホストコンピュータから前記モデム２０を介して前記本体装置１２のハードディスク２２に格納される。
【００１６】
前記ＭＩＤＩ音源２４は、各種の楽器の演奏音を格納しており、前記ハードディスク２２から読み出されて送られて来る演奏データに基づき、楽器の演奏信号を生成する音源である。生成された楽器の演奏信号は、アナログ信号に変換されて前記アンプミキサ３２に送られる。そのアンプミキサ３２では、送られて来た信号が電気的に増幅され、前記マイク３６を介して入力される利用者の歌声が演奏信号とミキシングされる。そして、そのミキシングされた音が前記スピーカ３４から出力される。
【００１７】
前記ビデオミキサ２６は、前記ハードディスク２２から読み出された歌詞データに基づいて前記電子制御装置１４において生成された歌詞文字映像と、前記ディスクプレーヤー３０から送られるＮＴＳＣ映像とを合成して前記画像表示器３８に表示させる装置である。前記ディスクプレーヤー３０から送られるＮＴＳＣ映像は、利用者が歌詞を参照しながら歌を歌う際に前記画像表示器３８に表示される背景映像である。
【００１８】
図２は、前記リモコン２８の操作部を説明する図である。この図に示すように、かかるリモコン２８の操作部には、０から９までの１０個の数字釦２８ａ、選曲釦２８ｂ、左右上下の矢印釦２８ｃ、取消釦２８ｄ、およびモード設定釦２８ｅが設けられている。また、操作補助・確認のための表示部２８ｆが設けられている。上記数字釦２８ａは、選曲情報であるところの選曲番号を入力するための釦（スイッチ）であり、その数字釦２８ａが押されるとその数字に対応する数字信号が上記表示部２８ｆに表示され、上記選曲釦２８ｂが押されることによりその選曲番号を示す選曲確定信号が出力される。左右上下の矢印釦２８ｃは、前記画像表示器３８に選択肢が表示された際、同様に表示されるカーソルなどを左右上下に移動させるための釦であり、その矢印釦２８ｃが操作されるとカーソル移動信号が出力され、上記選曲釦２８ｂが押されることにより選択している項目が確定する。また、前記カラオケ装置１０の演奏中に、左右の矢印釦２８ｃを操作することにより、演奏音の音程を変更するための音程変更信号が出力される。上記モード設定釦２８ｅは、後述する選曲支援モードのオン・オフを切り換えるための釦であり、そのモード設定釦２８ｅが押されると選曲支援モード切換信号が出力される。
【００１９】
図３は、前記電子制御装置１４の制御機能の要部を説明する機能ブロック線図である。この図に示すように、前記電子制御装置１４は、属性情報抽出手段４０、属性情報適合率算出手段４２、属性情報順位決定手段４４、演奏曲抽出手段４６、および演奏曲順位決定手段４８を機能的に備えている。また、前記ハードディスク２２には、演奏情報である曲データを格納する曲データベース５０、属性情報データベース５２、および予め設定された演奏キーなどが記憶されている。かかる曲データベース５０に納められる曲データは、演奏データ、歌詞データ、曲名データ、および選曲番号などからなり、その演奏データは、例えばＭＩＤＩ（Ｍｕｓｉｃａｌ　Ｉｎｓｔｒｕｍｅｎｔ　Ｄｉｇｉｔａｌ　Ｉｎｔｅｒｆａｃｅ）規格に基づいたＭＩＤＩデータの形式で格納されている。
【００２０】
図４は、前記ハードディスク２２に記憶された属性情報データベース５２を示す図である。かかる属性情報データベース５２は、属性情報記憶手段に対応するものであり、上記曲データベース５０に格納された演奏曲の性質を示す複数種類の属性情報が上記選曲番号毎に記憶されている。その属性情報は、歌手名、作詞者、作曲者、テンポ、キー、曲調、歌詞の内容（場所、登場人物の人数、シチュエーション、頻出単語など）、ジャンル、発表年代などの種類毎に分類されている。例えば、図４に示すように、属性Ａ〜属性Ｚの２６項目に分類され、それぞれの項目が更に区分されている。
【００２１】
図５に示す属性Ａは、歌詞の内容に関し、特に場所に関する属性情報であり、Ａ−１「部屋」、Ａ−２「河原」、Ａ−３「海岸」、・・・、Ａ−３０「車中（自家用車）」、Ａ−３１「車中（電車）」、Ａ−３２「車中（バス）」に区分されている。図６に示す属性Ｂは、歌詞の内容に関し、特に登場人物の人数に関する属性情報であり、Ｂ−１「１（男）」、Ｂ−２「１（女）」、Ｂ−３「２（男同士）」、・・・、Ｂ−１９「１０以上」、Ｂ−２０「１００以上」、Ｂ−２１「１０００以上」に区分されている。図７に示す属性Ｃは、曲のテンポに関する属性情報であり、Ｃ−１「４０ｂｐｍ」、Ｃ−２「４５ｂｐｍ」、Ｃ−３「５０ｂｐｍ」、・・・、Ｃ−３０「２３０ｂｐｍ」、Ｃ−３１「２４０ｂｐｍ」、Ｃ−３２「２５０ｂｐｍ以上」に区分されている。図８に示す属性Ｚは、曲の内容に関し、特にシチュエーションに関する属性情報であり、Ｚ−１「恋愛」、Ｚ−２「応援」、Ｚ−３「別れ」、・・・、Ｚ−２３「喜び（誕生）」、Ｚ−２４「喜び（結婚）」、Ｚ−２５「喜び（合格）」に区分されている。前記属性情報データベース５２では、図４に示すように、前記曲データベース５０に格納されたすべての演奏曲について、属性Ａ〜属性Ｚの各項目がその区分の何れかひとつに定められることで、それぞれの演奏曲の属性情報が設定されている。また、前記モデム２０を介して前記ハードディスク２２に新しい演奏曲が格納される際には、電話回線にて新曲に対応する属性情報が、図示しないホストコンピュータから前記モデム２０を介して前記ハードディスク２２の属性情報データベース５２に格納される。
【００２２】
前記属性情報抽出手段４０は、所定時間内すなわち前記リセット釦１７が押されて以降、次のリセット釦１７が押されるまでの時間内に選択された複数の選曲番号それぞれの属性情報を前記属性情報データベース５２から抽出して、選曲番号毎に前記電子制御装置１４のＲＡＭなどに一時的に記憶する。従って、その電子制御装置１４のＲＡＭは、属性情報記憶手段を構成する。また、そのＲＡＭに記憶された属性情報は、前記リセット釦１７が操作されることにより消去されて初期化される。前記属性情報適合率算出手段４２は、前記属性情報抽出手段４０により抽出されて属性情報記憶手段であるＲＡＭに記憶された属性情報それぞれについて、上記所定時間内に選曲された複数の演奏曲に共通する割合である適合率を区分単位（Ａ−１２、Ｇ−２７など）で算出する。例えば、それぞれの属性情報を有する演奏曲数の、上記所定時間内に選曲された総演奏曲数に対する百分率を算出する。なお、適合率は必ずしも百分率には限られない。前記属性情報順位決定手段４４は、前記属性情報適合率算出手段４２により算出された適合率に応じて前記共通属性情報の順位を決定する。例えば、前記属性情報適合率算出手段４２において所定値以上の適合率を示す属性情報を共通属性情報とし、更にその順位を決定する。すなわち、前記属性情報抽出手段４０、属性情報適合率算出手段４２、および属性情報順位決定手段４４が共通属性情報判定手段５４に対応し、上記所定時間内に選択された複数の選曲番号それぞれの属性情報のうちに互いに共通する共通属性情報を判定する。
【００２３】
前記演奏曲抽出手段４６は、前記属性情報順位決定手段４４により決定された共通属性情報のうちの順位が所定位以上例えば高いものから第３位までの高順位属性情報を有する演奏曲を抽出する。前記演奏曲順位決定手段４８は、前記演奏曲抽出手段４６により抽出された演奏曲の順位をその高順位属性情報との対応に基づいて決定する。例えば、それぞれの演奏曲が有する高順位属性情報の個数を比較して順位付けを行う。ここで、重複選曲を避けるために、前記所定時間内に既に選曲された演奏曲は推薦曲からは除外される。すなわち、前記演奏曲抽出手段４６および演奏曲順位決定手段４８が推薦曲決定表示手段５６に対応し、前記演奏曲順位決定手段４８により決定された順位が所定位以上例えば高いものから第５位までの高順位演奏曲を推薦曲として決定して、前記ビデオミキサ３２を介して前記画像表示器３８により表示する。
【００２４】
図１５および図１６は、前記電子制御装置１４による制御動作の一例を説明するフローチャートであり、図１５は、カラオケ演奏制御ルーチンを、図１６は、選曲支援制御ルーチンをそれぞれ示す。
【００２５】
図１５のステップ（以下、ステップを省略する）ＳＡ１では、前記リセット釦１７が操作されて所定のリセット処理が行われることにより、前記電子制御装置１４のＲＡＭなどに記憶された選曲番号および属性情報が初期化される。このリセット操作は、例えば、カラオケボックスのある室での利用者が所定時間のカラオケ利用を終えて新たな利用者と入れ替わる毎に、カラオケボックスの従業員（店員）などによって行われる。従って、上述の所定時間は、カラオケボックスのある室での利用者毎に設定されることになる。次いで、ＳＡ２において選曲待ち処理が実行された後、ＳＡ３において利用者の入力操作に基づいて選曲処理が行われる。この選曲処理では、カラオケのための選曲が行われたか否かが前記リモコン２８の数字釦２８ａおよび選曲釦２８ｂの操作に従って判断され、このＳＡ３の判断が否定されるうちは選曲待ち状態が継続するが、肯定される場合は、ＳＡ４において入力された選曲番号に対応する選曲されたカラオケ演奏曲を前記ハードディスク２２から電子制御装置１４の内部メモリへ転送する演奏準備処理が実行された後、ＳＡ５においてカラオケ演奏が開始される。そして、ＳＡ６において図示しない歌い直し釦が操作されたか否かが判断され、このＳＡ６の判断が肯定される場合は、歌い直しのために上記ＳＡ４以下が繰り返し実行されるが、否定される場合は、ＳＡ７において選曲支援モードがオンであるか否かが判断される。このＳＡ７の判断が肯定される場合は、図１６に示す選曲支援処理が行われるが、否定される場合は、ＳＡ９においてカラオケ利用時間終了であるか否かが判断される。このＳＡ９の判断が否定される場合は、上記ＳＡ２以下が繰り返し実行されるが、肯定される場合は、それをもって本ルーチンが終了させられる。
【００２６】
図１６のＳＢ１では、前記ＳＡ１においてリセット釦１７が押されて以降の時間内に選曲された演奏曲に対応する属性情報が前記属性情報データベース５２から抽出され、選曲番号毎に前記電子制御装置１４のＲＡＭなどに一時的に記憶される。例えば、図９に示すように、前記リセット釦１７が押されて以降の時間内に選曲番号「１２０３４」、「１２０４５」、「１２０５６」、「１２０６７」、「１２０７８」の演奏曲が選曲されている場合、前記電子制御装置１４のＲＡＭに記憶された選曲番号に基づいて、図４に示す属性情報データベース５２から、図１０に示すような属性情報データが抽出される。このＳＢ１が前記属性情報抽出手段４０に対応する。
【００２７】
次いで、ＳＢ２では、上記ＳＢ１において抽出された属性情報それぞれについて、上記所定時間内に選曲された複数の選曲番号に共通する割合である適合率が区分単位（Ａ−１２、Ｃ−２０など）で算出される。例えば、図１１に示すように、それぞれの属性情報を有する演奏曲数の、上記所定時間内に選曲された総演奏曲数に対する百分率が算出される。ここで、属性Ａの「Ａ−１」に関しては、選曲番号「１２０３４」および「１２０６７」の２曲が有し、総演奏曲数が５曲であるので４０％であり、属性Ｃの「Ｃ−２０」に関しては、選曲番号「１２０３４」、「１２０４５」、および「１２０５６」の３曲が有し、総演奏曲数が５曲であるので６０％である。このＳＢ２が前記属性情報適合率算出手段４２に対応する。
【００２８】
次いで、ＳＢ３では、上記ＳＢ２において算出された適合率に応じて前記共通属性情報の順位が決定される。例えば、図１２に示すように、適合率が１００％である属性Ｆの「Ｆ−１５」が第１位、適合率が８０％である属性Ｊの「Ｊ−２３」が第２位、適合率が６０％である属性Ｃの「Ｃ−２０」第３位といったように順位が決定されると共に、例えば適合率が６０％以上の属性情報が共通属性情報とされ、それ未満の属性情報例えば適合率が２０％である属性Ｍの「Ｍ−２０」などは、以下のステップにおいて考慮されない。このＳＢ３が前記属性情報順位決定手段４４に対応する。
【００２９】
次いで、ＳＢ４では、上記ＳＢ３において決定された共通属性情報すなわち適合率が６０％以上の属性情報を有する演奏曲が抽出される。すなわち、図１３に示すように、属性Ｆの「Ｆ−１５」、属性Ｊの「Ｊ−２３」、属性Ｃの「Ｃ−２０」などの共通属性情報の少なくともひとつを有する演奏曲が全て抽出される。このＳＢ４が前記演奏曲抽出手段４６に対応する。
【００３０】
次いで、ＳＢ５では、上記ＳＢ４において抽出された演奏曲の順位が前記共通属性情報との対応に基づいて決定される。この際、前記所定時間内に既に選曲された選曲番号「１２０３４」、「１２０４５」、「１２０５６」、「１２０６７」、「１２０７８」の演奏曲は除外され、その他の演奏曲のうち上記共通属性情報を多く有するものから高い順位が付けられる。例えば、図１４に示すように、順位の高いものから選曲番号「２３０９８」、「２３０８７」、「２３０７６」、「２３０５４」、「２３０４３」、「２３０６５」と順位付けされる。このＳＢ５が前記演奏曲順位決定手段４８に対応する。
【００３１】
次いで、ＳＢ６では、上記ＳＢ５において順位が所定位以上例えば高いものから第５位までの高順位演奏曲すなわち選曲番号「２３０９８」、「２３０８７」、「２３０７６」、「２３０５４」、「２３０４３」の演奏曲が推薦曲として決定され、その選曲番号、曲名、歌手名、および前記ＳＢ２において算出された適合率の全項目での平均値などが前記ビデオミキサ３２を介して前記画像表示器３８により表示される。それをもって本ルーチンが終了させられる。
【００３２】
このように、本実施例によれば、前記演奏曲の性質を示す複数種類の属性情報を前記選曲番号毎に記憶する属性情報記憶手段である属性情報データベース５２と、所定時間内に選曲された複数の演奏曲それぞれの属性情報のうち互いに共通する共通属性情報を判定する共通属性情報判定手段５４と、その共通属性情報判定手段５４により判定された共通属性情報に基づいて推薦曲を決定して表示する推薦曲決定表示手段５６とを含むことから、前記所定時間内の選曲傾向を客観的に捉えることが可能とされ、場の雰囲気に沿った演奏曲を推薦する選曲支援装置を提供することができる。
【００３３】
また、前記共通属性情報判定手段５４は、前記所定時間内に選曲された複数の演奏曲それぞれの属性情報を前記属性情報データベース５２から抽出する属性情報抽出手段４０（ＳＢ１）と、その属性情報抽出手段４０により抽出されたその属性情報それぞれについて、前記所定時間内に選曲された複数の演奏曲に共通する割合である適合率を算出する属性情報適合率算出手段４２（ＳＢ２）と、その属性情報適合率算出手段４２により算出された適合率に応じて前記共通属性情報の順位を決定する属性情報順位決定手段４４（ＳＢ３）とを含むものであるため、実用に適した態様で、前記所定時間内の選曲傾向をより客観的に捉えることができるという利点がある。
【００３４】
また、前記推薦曲決定表示手段５６は、前記属性情報順位決定手段４４により決定された共通属性情報のうちの順位が所定位以上である高順位属性情報を有する演奏曲を抽出する演奏曲抽出手段４６（ＳＢ４）と、その演奏曲抽出手段４６により抽出された演奏曲の順位をその高順位属性情報との対応に基づいて決定する演奏曲順位決定手段４８（ＳＢ５）とを含み、その演奏曲順位決定手段４８により決定された順位が所定位以上である高順位演奏曲を推薦曲として決定して、前記ビデオミキサ３２を介して前記画像表示器３８により表示するものであるため、実用に適した態様で、前記所定時間内の選曲傾向をより客観的に捉えることができるという利点がある。
【００３５】
以上、本発明の好適な実施例を図面に基づいて詳細に説明したが、本発明はこれに限定されるものではなく、更に別の態様においても実施される。
【００３６】
例えば、前述の実施例においては、前記本体装置１２に内蔵された電子制御装置１４により選曲支援処理が行われるものであったが、本発明はこれに限定されるものではなく、例えば前記リモコン２８に内蔵された電子制御装置により選曲支援処理が行われるものであっても構わない。この場合、前記リモコン２８は、図１７に示すように、ＣＰＵ５８、ＲＯＭ６０、ＲＡＭ６２、フラッシュＲＯＭ６４、データ送信部６６、データ受信部６８などを備えており、そのＣＰＵ５８が共通属性情報判定手段および推薦曲決定表示手段などの機能を有し、上記フラッシュＲＯＭ６４に記憶された属性情報データベースから属性情報が引き出されて前述の選曲支援処理が実行され、リモコンの表示部２８ｆに推薦曲の選曲番号が表示される。また、前記操作パネル１６による操作が、前記リモコン２８のデータ受信部６８に送信される構成により、前記本体装置１２の操作により選曲された演奏曲が選曲支援処理に反映される。
【００３７】
また、前述の実施例では、前記曲データベース５０と属性情報データベース５２とが別個に設けられていたが、例えば属性情報が曲データの付属情報の形式で各曲データと共に前記曲データベース５０に格納されるものであっても構わない。
【００３８】
また、前述の実施例では、所定時間を前記リセット釦１７が押されて以降、次にそのリセット釦１７が押されるまでの時間とし、その時間内に複数の演奏曲が選曲された場合について説明したが、例えばかかる所定時間を、演奏が行われているその時点を遡る間近の指定時間（例えば１時間程度）としてもよい。また、カラオケ利用の開始直後などにおいて１曲しか選曲されていない場合の選曲支援処理では、予め設定された属性の優先度に従って推薦曲を決定してもよい。すなわち、優先度の高い項目として「歌手名」、「ジャンル」、「曲調」などを予め定めておき、それらの項目のみについて共通属性情報の判定を行うものであっても構わない。そのようにすれば、選択された演奏曲が少ない場合であっても、場の雰囲気に沿った演奏曲を推薦することができるという利点がある。
【００３９】
また、前述の実施例では、属性Ａ〜属性Ｚの各項毎の重要度を等しく扱っていたが、それらの項目毎の重要度に傾斜を与えてもよい。例えば、前記属性情報順位決定手段４４において、「歌手名」、「ジャンル」、「曲調」、「発表年代」などのＡ級属性情報には、それぞれの適合率をそのまま用い、「作曲者」、「テンポ」、「歌詞の内容（シチュエーション）」などのＢ級属性情報には、それぞれの適合率から１割引いた値を用い、「キー」、「歌詞の内容（登場人物の人数）」などのＣ級属性情報には、それぞれの適合率から２割引いた値を用いるなど、場の雰囲気に密接に関わる属性情報を特に考慮して推薦曲を決定するものであっても構わない。
【００４０】
また、前述の実施例では、属性情報の共通する演奏曲を推薦曲として表示するものであったが、そのような通常の推薦曲を表示すると共に、敢えて属性情報がほとんど共通しない演奏曲をワイルドカード（予想がつかない選択肢）として表示するものであっても構わない。そのようにすれば、利用者の遊び心が刺激されることに加え、場の雰囲気が思わしくない際にはそのワイルドカードを選曲することで状況を変化させることができるという利点がある。
【００４１】
その他一々例示はしないが、本発明はその趣旨を逸脱しない範囲内において、種々の変更が加えられて実施されるものである。
【図面の簡単な説明】
【図１】本発明の一実施例であるカラオケ装置の構成を説明するブロック線図である。
【図２】図１に示すカラオケ装置を遠隔にて操作するためのリモコンを説明する図である。
【図３】図１に示すカラオケ装置の動作を制御する電子制御装置の制御機能の要部を説明する機能ブロック線図である。
【図４】図１に示すハードディスクに記憶された属性情報データベースを示す図である。
【図５】図４に示す属性情報データベースに格納される属性Ａの内容を示す図である。
【図６】図４に示す属性情報データベースに格納される属性Ｂの内容を示す図である。
【図７】図４に示す属性情報データベースに格納される属性Ｃの内容を示す図である。
【図８】図４に示す属性情報データベースに格納される属性Ｚの内容を示す図である。
【図９】図１５に示すステップＳＡ１においてリセット釦が押されて以降の時間内に選曲された演奏曲の選曲番号を示す図である。
【図１０】図１６に示すステップＳＢ１において抽出された選曲番号毎の属性情報を示す図である。
【図１１】図１６に示すステップＳＢ２において算出されたそれぞれの属性情報の適合率を示す図である。
【図１２】図１６に示すステップＳＢ３において決定された属性情報の順位を示す図である。
【図１３】図１６に示すステップＳＢ４において抽出された高順位の属性情報を有する演奏曲を示す図である。
【図１４】図１６に示すステップＳＢ５において決定された演奏曲の順位を示す図である。
【図１５】図３に示す電子制御装置によるカラオケ演奏制御ルーチンを説明するフローチャートである。
【図１６】図３に示す電子制御装置による選曲支援制御ルーチンを説明するフローチャートである。
【図１７】本発明の他の実施例に備えられるリモコンの構成を説明するブロック線図である。
【符号の説明】
１０：カラオケ装置（音楽再生装置）
４０：属性情報抽出手段
４２：属性情報適合率算出手段
４４：属性情報順位決定手段
４６：演奏曲抽出手段
４８：演奏曲順位決定手段
５２：属性情報データベース（属性情報記憶手段）
５４：共通属性情報判定手段
５６：推薦曲決定表示手段
【図１】
2004117587.tif 000003
【図２】
2004117587.tif 000004
【図３】
2004117587.tif 000005
【図４】
2004117587.tif 000006
【図５】
2004117587.tif 000007
【図６】
2004117587.tif 000008
【図７】
2004117587.tif 000009
【図８】
2004117587.tif 000010
【図９】
2004117587.tif 000011
【図１０】
2004117587.tif 000012
【図１１】
2004117587.tif 000013
【図１２】
2004117587.tif 000014
【図１３】
2004117587.tif 000015
【図１４】
2004117587.tif 000016
【図１５】
2004117587.tif 000017
【図１６】
2004117587.tif 000018
【図１７】
2004117587.tif 000019